(57)【要約】【課題】  棚板の抜け止めのための手段を予め設けた棚受装置を提供すること。【解決手段】  壁面に直接乃至間接的に取り付けるための取付部と、棚板を載置するための棚受部とから成り、取付部と棚受部を高さ調節ネジによって上下スライドできる状態で一体化する棚受装置であって、取付部の垂直片上端には棚受部の水平片と平行な縁取り片を形成して水平片と縁取り片との間で棚板の端部を挟着固定させるように構成したことを特徴とする。【選択図】        図１
2005169035.tif 000002
【特許請求の範囲】
【請求項１】
壁面Ｗに直接乃至間接的に取り付けるための取付部２と、棚板Ｔを載置するための棚受部３とから成り、取付部２と棚受部３を高さ調節ネジａによって上下スライドできる状態で一体化する棚受装置１であって、取付部２の垂直片２−１上端には棚受部３の水平片３−１と平行な縁取り片２−２を形成して水平片３−１と縁取り片２−２との間で棚板Ｔの端部を挟着固定させるように構成したことを特徴とする棚受装置。
【請求項２】
請求項１記載の棚受装置１において、棚受部３の水平片３−１の一部に凹部３−１ａを長手方向全長に亘って形成したことを特徴とする請求項１記載の棚受装置。
【請求項３】
請求項１記載の棚受装置１において、棚受部３の水平片３−１の一部に凹部３−１ａを長手方向全長に亘って形成し、水平片３−１の自由端側を上方にｄの間隔だけ反らしてあることを特徴とする請求項１記載の棚受装置。
【請求項４】
請求項１記載の棚受装置１において、棚受部３の水平片３−１の一部に突条を長手方向全長に亘って形成したことを特徴とする請求項１記載の棚受装置。
【請求項５】
請求項１記載の棚受装置１において、縁取り片２−２の下面に棚板Ｔの上面に食い込ませるための複数の突条２−２ａを長手方向全長に亘って形成したことを特徴とする請求項１記載の棚受装置。
【請求項６】
請求項４記載の棚受装置１において、縁取り片２−２の下面に形成された突条２−２ａは先端が尖っていることを特徴とする請求項１記載の棚受装置。
【請求項７】
請求項１記載の棚受装置１において、取付部２の垂直片２−１の背面に壁面Ｗ又は壁ボードに食い込ませるための複数の突条２−１ａを長手方向全長に亘って形成したことを特徴とする請求項１記載の棚受装置。
【請求項８】
請求項１記載の棚受装置１の棚板Ｔがガラス等の硬質の板材の場合において、縁取り片２−２と水平片３−１に挟着される棚板Ｔの上、下面にクッション材４、４を介在させたことを特徴とする請求項１記載の棚受装置。
【請求項９】
請求項１記載の棚板Ｔが透明又は半透明のガラス板、合成樹脂板等の透明板の場合において、取付部２乃至棚受部３に発光ダイオード５−１、蛍光灯５−２等の発光器５を装着したことを特徴とする請求項１記載の棚受装置。
【請求項１０】
請求項８記載の発光器５が蛍光灯５−２の場合、蛍光灯の光が通過するための透孔３−１ｂを水平片３−１に形成したことを特徴とする請求項１記載の棚受装置。
【請求項１１】
請求項９、１０記載の棚板Ｔが透明板である場合の棚板Ｔの縁取り片２−２と水平片３−１に挟着される壁面側の端部を斜めにカットしてあることを特徴とする請求項１記載の棚受装置。
【請求項１２】
請求項１記載の棚受装置１において、棚受装置１を壁面Ｗに間接的に取り付ける手段として、壁面Ｗに敷設されたレールＲに取付部２を装着することを特徴とする請求項１記載の棚受装置。
【発明の詳細な説明】
【技術分野】
【０００１】  本発明は、壁面に直接乃至間接的に取り付けて使用する棚受装置に関するものである。
【背景技術】
【０００２】  従来から壁面に直接或いは壁面に敷設されたレールに取り付けて棚板の一端を支持するようにした棚受装置は公知であるが、これらの棚受装置にあっては、棚板の一端だけを挟着するだけのものであったため、棚板上の物品を降ろすときに物品をそのまま横に引っ張って棚板が抜けて脱落する事故が起きるという問題点があった。
【発明の開示】
【発明が解決しようとする課題】
【０００３】  従来のこの種の棚受装置にあっては、棚板の抜け止め手段として棚板を棚受金具に釘等で止めたり、棚板の側端部を棚受金具に形成された楔状の舌片に打ち込んだりしていたが、棚板の棚受装置への装着作業が面倒であるという問題点があった。【０００４】  本発明は、上記従来技術の問題点を解決するために、棚板の抜け止めのための手段を予め設けた棚受装置を提供することを目的とするものである。
【課題を解決するための手段】
【０００５】  本発明に係る棚受装置の請求項１の発明は、壁面に直接乃至間接的に取り付けるための取付部と、棚板を載置するための棚受部とから成り、取付部と棚受部を高さ調節ネジによって上下スライドできる状態で一体化する棚受装置であって、取付部の垂直片上端には棚受部の水平片と平行な縁取り片を形成して水平片と縁取り片との間で棚板の端部を挟着固定させるように構成したことを特徴とし、請求項２、３の発明は、請求項１記載の棚受装置において、棚受部の水平片の一部に凹部を長手方向全長に亘って形成したり、水平片の自由端側を上方に反らしたりしたことを特徴とし、請求項４の発明は、棚受部の水平片の一部に突条を長手方向全長に亘って形成したことを特徴とし、請求項５の発明は、請求項１記載の棚受装置において、縁取り片の下面に棚板の上面に食い込ませるための複数の突条を長手方向全長に亘って形成したことを特徴とし、請求項６の発明は、請求項５記載の棚受装置１において、縁取り片の下面に形成された突条は先端が尖っていることを特徴とし、請求項７の発明は、請求項１記載の棚受装置において、取付部の垂直片の背面に壁面又は壁ボードに食い込ませるための複数の突条を長手方向全長に亘って形成したことを特徴とし、請求項８の発明は、請求項１記載の棚受装置の棚板がガラス板等の硬質の板材の場合において、縁取り片と水平片に挟着される棚板の上、下面にクッション材を介在させたことを特徴とし、請求項９、１０の発明は、請求項１記載の棚受装置の棚板が透明又は半透明のガラス板、合成樹脂板等の透明板の場合において、取付部乃至棚受部に発光ダイオード、蛍光灯等の発光器を装着したことを特徴とし、請求項１１の発明は、請求項９、１０記載の棚板Ｔが透明板である場合の棚板Ｔの縁取り片２−２と水平片３−１に挟着される壁面側の端部を斜めにカットしてあることを特徴とし、請求項１２の発明は、請求項１記載の棚受装置１において、棚受装置を壁面Ｗに間接的に取り付ける手段として、壁面に敷設されたレールに取付部を装着することを特徴とするものである。
【発明の作用】
【０００６】  請求項１の発明では、壁面に直接乃至間接的に取り付けるための取付部と、棚板を載置するための棚受部とから成り、取付部と棚受部を高さ調節ネジによって上下スライドできる状態で一体化する棚受装置であって、取付部の垂直片上端には棚受部の水平片と平行な縁取り片を形成して水平片と縁取り片との間で棚板の端部を挟着固定させるように構成しているので、棚板が強力に圧縮保持され、棚板の抜け止めがなされる。
【０００７】  請求項２、３の発明では、請求項１記載の棚受装置において、棚受部の水平片の一部に凹部或いは突条を長手方向全長に亘って形成したり、水平片の自由端側を上方に反らしたりしてあるので、棚板が水平片と縁取り片との間で圧縮されるときに、棚板はこの凹部部分で曲げられてその一部が凹部に入り込んだり、水平片の反りによって摩擦抵抗が増大して抜け止め効果を高める。
【０００８】  請求項４の発明では、請求項１記載の棚受装置において、棚受部の水平片の一部に突条を長手方向全長に亘って形成してあるので、棚板が水平片と縁取り片との間で圧縮されるときに、棚板はこの突条に喰い込んで、摩擦抵抗が増大して抜け止め効果を高める。
【０００９】  請求項５，６の発明では、請求項１記載の棚受装置において、縁取り片の下面に棚板の上面に食い込ませるための複数の突条を長手方向全長に亘って形成しているので、棚板の端部を高さ調節ネジの操作によって棚板の端部を水平片と縁取り片との間で挟持させるときに、縁取り片の下面に形成された複数の突条が棚板の上面に食い込み、棚板の抜け止めがなされる。
【００１０】  請求項７の発明では、取付部の垂直片の背面に壁面又は壁ボードに食い込ませるための複数の突条を長手方向全長に亘って形成しているので、取付部を壁面又は壁ボードに取り付けるためのアンカーネジに集中して掛かる荷重を壁面又は壁ボードと複数の突条との噛み合い部分に分散させ、アンカーネジに掛かる荷重を軽減して棚板に大重量の物品が載せられても上下方向のズレが生じることがなく、安定した取付状態を保持する。
【００１１】  請求項８の発明では、棚板がガラス板等の硬質の板材の場合において、縁取り片と水平片に挟着される棚板の上、下面にクッション材を介在させてあるので、棚板が水平片と縁取り片との間で圧縮されるときに、クッション材が緩衝して棚板の破損を防ぎ、摩擦抵抗によって棚板の抜け止め効果を高める。
【００１２】  請求項９、１０の発明では、棚板が透明板の場合において、取付部乃至棚受部に発光ダイオード、蛍光灯等の発光器を装着してあるので、棚板が光って美麗であり、装飾性を高める。
【００１３】  請求項１１の発明では、請求項９、１０記載の棚板が透明板である場合の棚板の縁取り片と水平片に挟着される壁面側の端部を斜めにカットしてあるので、棚板が光る照度を調節できる。
【００１４】  請求項１２の発明では、棚受装置を壁面に間接的に取り付ける手段として、壁面に敷設されたレールに取付部を装着する手段を採用してあるので、棚受装置の着脱が容易であり、内装工事中にはレールだけを敷設しておき、工事完成後に装着すればよいので、他の作業や室内装置品の搬入の邪魔にならず、施工後不都合が生じたときには簡単に取り外せて修正することも可能である。
【発明を実施するための最良の形態】
【００１５】  本発明装置の実施の形態を実施例について具体的に説明する。
【実施例１】
【００１６】  図１は、棚板が木製等の軟質性部材の場合であって、壁面へ直接取り付けるタイプの本発明装置の斜視図、図２は、同装置の取付部の側面図、図３は、同装置の棚受部の側面図、図４は、壁面に取り付けた状態で、棚板を装着した状態の一部縦断側面図である。【００１７】  図において、１は、壁面Ｗに取り付けるための取付部２と、棚板Ｔを載置するための棚受部３とから成り、取付部２と棚受部３を高さ調節ネジａによって上下スライドできる状態で一体化するようにしてある本発明に係る棚受装置であって、取付部２の壁面Ｗに面接する垂直片２−１には棚受部３の水平片３−１と平行な縁取り片２−２を形成して水平片３−１と縁取り片２−２との間で棚板Ｔの端部を挟着固定するように構成されている。【００１８】  取付部２の縁取り片２−２の下面には棚板Ｔの上面に食い込ませるための複数の突条２−２ａが長手方向全長に亘って形成されており、更に、棚受部３の水平片３−１の一部には水平片３−１と縁取り片縁取り片２−２との間で棚板Ｔの端部を挟着固定する際に棚板Ｔの一部が曲げられてその一部が入り込む凹部３−１ａが長手方向全長に亘って形成されている。【００１９】  取付部２と棚受部３を高さ調節ネジａによって上下スライドできる状態で一体化するための構成として、取付部２の垂直片２−１の下端に水平の折曲片２−３を形成してこの折曲片２−３の少なくとも左右両端及び中央の三箇所に高さ調節ネジａが螺合する螺子孔２−３ａを形成し、棚受部３の覆片３−２の水平部３−３の前記折曲片２−３の螺子孔２−３ａに対応する箇所に高さ調節ネジａが挿通される丸孔３−３ａが形成されている。【００２０】  また、取付部２の垂直片２−１の裏面つまり壁面Ｗに面接する部分には、壁面Ｗに食い込ませるための複数の突条２−１ａが長手方向全長に亘って形成されている。【００２１】  次に、本発明装置の具体的用法を説明する。【００２２】  先ず、取付部２と棚受部３を高さ調節ネジａによって上下スライドできる状態で一体化した棚受装置１を壁面Ｗの所定箇所にアンカーネジｂで取り付けるのであるが、請求項３のように取付部２の垂直片２−１の背面に壁面Ｗに食い込ませるための複数の突条２−１ａを長手方向全長に亘って形成しておけば、取付部２をアンカーネジｂで壁面Ｗに取り付けたときに、アンカーネジｂに集中して掛かる荷重は壁面Ｗと複数の突条２−１ａとの噛み合い部分に分散され、アンカーネジｂに掛かる荷重が軽減され、棚板に大重量の物品が載せられても上下方向のズレが生じることがなく、安定した取付状態が保持されるものである。【００２３】  棚受装置１の壁面Ｗへの取り付けの終了後、棚受部３の水平片３−１と取付部２の縁取り片２−２との間に棚板Ｔを水平方向から差し入れ、丸孔３−３ａに挿通させた高さ調節ネジａを折曲片２−３の螺子孔２−３ａに螺合させてドライバーで螺回することによって棚受部３を押し上げてやれば、棚板Ｔは縁取り片２−２と水平片３−１との間で挟着されることになり、更に、棚受部３を強力に押し上げてやれば、棚板Ｔは縁取り片２−２と水平片３−１との間で棚板Ｔが強力に圧縮保持され、抜け止めがなされるのであるが、請求項２、３のように、棚板Ｔの曲がりによって棚��の一部が入り込む凹部３−１ａを長手方向全長に亘って形成したり、棚受部３の水平片３−１の自由端側をｄの間隔だけ上方に反らしておけば、係止効果が高まり、抜け止め効果が向上する。【００２４】  また、図示はしないが、前記凹部３−１ａに該当する部分に凹部とは逆に棚板の一部に食い込む突条を長手方向全長に亘って形成しておけば、係止効果が高まり、抜け止め効果が向上する。【００２５】  更に、請求項５のように、縁取り片２−２の下面に棚板Ｔの上面に食い込ませるための複数の突条２−２ａを長手方向全長に亘って形成しておけば、突条２−２ａが棚板Ｔの上面に喰い込んで強力に係止するため、抜け止め効果は更に高まるものである。【００２６】  この棚板Ｔを縁取り片２−２と水平片３−１との間に挟着させるときに、請求項６のように突条２−２ａの先端を尖らせておけば、棚板Ｔに食い込みやすくなり、係止効果が高くなるものである。
【実施例２】
【００２７】  図５（ａ）は、棚板が透明又は半透明のガラス板、合成樹脂板等の透明板の場合の本発明装置の斜視図、図５（ｂ）は、棚板を装着した状態の縦断側面図であって、縁取り片２−２と水平片３−１に挟着される棚板Ｔの上、下面にクッション材４、４を介在させ、取付部２の棚板Ｔが縁取り片２−２と水平片３−１に挟着される部分或いは棚受部３の覆い片３−２に発光ダイオード５−１、蛍光灯５−２等の発光器５を装着したものである。【００２８】  縁取り片２−２と水平片３−１に挟着される棚板Ｔの上、下面にクッション材４、４を介在させてあるので、棚板が水平片と縁取り片との間で圧縮されるときに、クッション材４、４が緩衝して棚板の破損を防ぎ、摩擦抵抗によって棚板の抜け止めの作用がなされるものである。【００２９】  取付部２の棚板Ｔが縁取り片２−２と水平片３−１に挟着される狭い空間に装着する発光器５としては、小型の発光ダイオード５−１が最適であり、棚板Ｔの端部が照射されることにより、ガラス製の棚板Ｔ全体が淡く光り、美麗であって、発光ダイオード５−１の発光色を変えることによって装飾性を高めることもできるものである。【００３０】  また、棚受部３の覆片３−２に発光器５を装着する場合は、広い空間を利用できる蛍光灯５−２が最適であり、棚受部３の水平片３−１に形成された透孔３−１ｂを通して棚板Ｔの底面が照射されることにより、透明板製の棚板Ｔ全体が明るく光ることになり、色付きの棚板Ｔ或いは前記発光ダイオード５−１等の色彩のある発光器５との組み合わせによって雰囲気に応じた光による演出が可能となるものである。
【実施例３】
【００３１】  図６（ａ）、（ｂ）は、図５（ａ）、（ｂ）の変形例を表わす本発明装置に棚板を装着した状態の縦断側面図であって、図６（ａ）は、発光器５たる発光ダイオード５−１を水平片３−１の壁面側に装着した状態を表わし、図６（ｂ）は、発光器５たる蛍光灯５−２を覆片３−２に装着し、蛍光灯５−２の光を通過させる透孔３−１ｂを水平片３−１の壁面側に形成したものであり、棚板Ｔの壁面側の端部を斜めにカットしたものである。【００３２】  この場合、棚板Ｔの壁面側の端部を斜めにカットしてあるので、発光ダイオード５−１や蛍光灯５−２から照射された光はそのカットされた傾斜面に当たり、カットした傾斜角度が大きい程壁面方向つまり取付部２の垂直片２−１方向への反射率が高くなって棚板Ｔを通る光量が減少し、棚板Ｔの照度が減衰するもので、カットする傾斜角度を変えることによって傾斜面での光の反射率を変えることができ、棚板Ｔの照度を自在に変えることができるものであり、発光ダイオード５−１や蛍光灯５−２への通電電圧を変えることによる発光照度の変化を加えれば、棚板Ｔを所望の明るさで光らせることができるものである。【００３３】  尚、実施例２、３において、棚板Ｔを構成する透明板を蛍光塗料を混入した透明板としておき、発光器５を紫外線量の多いブラックライトとすれば棚板Ｔ全体が蛍光発色して美麗であり、また、ガラス表面の模様付けとしてガラス工芸において慣用されるサンドブラスト法によって棚板Ｔの表面に模様を形成しておけばその部分が乱反射によってぼやけて浮かび上がって美麗である等商品価値を高めることもできるものである。【００３４】  更に、上記以外の棚板Ｔを光らせる手段として、通電により発光する市販される発光板を棚板として採用することも可能である。
【実施例４】
【００３５】  図７は、壁面に間接的に取り付けるタイプの本発明装置の棚板を装着した状態の一部縦断側面図であって、請求項１記載の棚受装置１において、棚受装置１を駛面Ｗに間接的に取り付ける手段として、壁面Ｗに敷設されたレールＲに取付部２を装着する手段を採用した請求項１２に対応するものである。【００３６】  この棚受装置１においては、壁面Ｗに直接取り付けるのではなく、ボードＢを張って壁面を隠しながら棚受装置１を取り付けるためのレールＲを壁面に敷設し、このレールＲに棚受装置１の取付部２の一部を嵌着して取り付けるものであって、実施例２の棚受装置１の取付部２の垂直片２−１の上端に嵌合片２−３を形成し、この嵌合片２−４をレールＲの前方に開く溝に回転させながら差し入れることによって取り付けるものである。【００３７】  この取付手段によれば、棚受装置１を壁面Ｗにネジ等で直接取り付けるのではないため、棚受装置の着脱が容易であり、内装工事中にはレールＲだけを敷設しておき、工事完成後に装着すればよいので、他の作業や室内装置品の搬入の邪魔にならず、施工後不都合が生じたときには簡単に取り外せて修正することも可能である。
【発明の効果】
【００３８】  以上述べた如く、本発明の請求項１に係る棚受装置によれば、取付部の垂直片上端には棚受部の水平片と平行な縁取り片を形成して水平片と縁取り片との間で棚板の端部を挟着固定させるように構成してあるので、棚板が強力に圧縮保持されることになり、棚板の抜け止めがなされ、物品を降ろすときに棚板が外れて脱落するようなことがなく、安全で且つ体裁の良い棚受装置を提供することができるものである。
【００４０】  また、請求項２、３の発明では、棚受部の水平片の一部に凹部を長手方向全長に亘って形成したり、水平片の自由端側を上方に反らしてあるので、棚板が水平片と縁取り片との間で圧縮されるときに、棚板の一部が曲げられて凹部に入り込んだり、反りによって摩擦抵抗が増大して、棚板の抜け止め効果を高め、請求項４の発明では、請求項１記載の棚受装置において、棚受部の水平片の一部に突条を長手方向全長に亘って形成してあるので、棚板が水平片と縁取り片との間で圧縮されるときに、棚板はこの突条に喰い込んで、摩擦抵抗が増大して抜け止め効果を高める。
【００４１】  請求項５，６の発明では、縁取り片の下面に棚板の上面に食い込ませるための複数の突条を長手方向全長に亘って形成しているので、棚板の端部を高さ調節ネジの操作によって棚板の端部を水平片と縁取り片との間で挟持させるときに、縁取り片の下面に形成された複数の突条が棚板の上面に食い込み、棚板の抜け止めがなされ、より一層の棚板の抜け止め効果を期待できるものである。
【００４２】  請求項７の発明では、取付部の垂直片の背面に壁面又は壁ボードに食い込ませるための複数の突条を長手方向全長に亘って形成しているので、取付部を壁面又は壁ボードに取り付けるためのアンカーネジに集中して掛かる荷重を壁面又は壁ボードと複数の突条との噛み合い部分に分散させ、アンカーネジに掛かる荷重を軽減して棚板に大重量の物品が載せられても上下方向のズレが生じることがなく、安定した取付状態が保持される効果があるものである。
【００４３】  請求項８の発明では、棚板がガラス板等の硬質の板材の場合において、縁取り片と水平片に挟着される棚板の上、下面にクッション材を介在させてあるので、棚板が水平片と縁取り片との間で圧縮されるときに、クッション材が緩衝して棚板の破損を防ぎ、摩擦抵抗によって棚板の抜け止め効果を高めるもので、棚板が木製等の軟質性部材でない硬質性部材に適用できるものである。
【００４４】  請求項９、１０の発明では、棚板が透明板製の場合において、取付部乃至棚受部に発光ダイオード、蛍光灯等の発光器を装着してあるので、棚板が光って美麗であり、装飾性を高める効果があるもので、家庭だけでなく、商店における商品陳列棚に使用することによって商品の高級感を高めて購買意欲をそそり、接客業等のサービス業においても小物棚等に使用することによって高級な雰囲気を醸し出すことができる等棚受装置本来の機能以外に雰囲気に応じた光による演出が可能となるものである。
【００４５】  請求項１１の発明では、請求項９、１０記載の棚板が透明板である場合の棚板の縁取り片と水平片に挟着される壁面側の端部を斜めにカットしてあるので、棚板が光る照度を調節できる効果がある。
【００４６】  請求項１２の発明では、棚受装置を壁面に間接的に取り付ける手段として、壁面に敷設されたレールに取付部を装着する手段を採用してあるので、棚受装置の着脱が容易であり、内装工事中にはレールだけを敷設しておき、工事完成後に装着すればよいので、他の作業や室内装置品の搬入の邪魔にならず、施工後不都合が生じたときには簡単に取り外せて修正することも可能であるという効果があり、棚板がガラス製の場合も適用できることは勿論である。
【００４７】  更に、本発明に係る棚受装置によれば、全ての請求項に共通する取付部の垂直片上端には棚受部の水平片と平行な縁取り片を形成して水平片と縁取り片との間で棚板の端部を挟着固定させる構成によって、どのような厚さの棚板であっても適用することが可能であり、また、反りのない板材の場合、一枚の板材だけではなく、複数の板材を積層して厚みのある棚板として使用することも可能であり、特に、棚板が透明板製の場合には、積層される透明板の間に着色したシート材や液晶表示板を挟み込んだりしたバリエーションに富んだ棚板を構成することができるという利点を有するものである。
【図面の簡単な説明】
【図１】  棚板が木製等の軟質性部材の場合であって、壁面へ直接取り付けるタイプの本発明装置の斜視図である。
【図２】  同装置の取付部の側面図である。
【図３】  同装置の棚受部の側面図である。
【図４】  壁面に取り付けた状態で、棚板を装着した状態の一部縦断側面図である。
【図５】  （ａ）は、棚板が透明又は半透明のガラス、合成樹脂板等の透明板の場合の本発明装置の斜視図、（ｂ）は、棚板を装着した状態の縦断側面図である。
【図６】  壁面に間接的に取り付けるタイプの本発明装置の棚板を装着した状態の一部縦断側面図である。
【符号の説明】
１          棚受装置
２          取付部
３          棚受部
４          パッキング
５          発光器
【図１】
2005169035.tif 000003
【図２】
2005169035.tif 000004
【図３】
2005169035.tif 000005
【図４】
2005169035.tif 000006
【図５】
2005169035.tif 000007
【図６】
2005169035.tif 000008
【図７】
2005169035.tif 000009
【手続補正書】
【提出日】平成16年3月4日(2004.3.4)
【手続補正１】
【補正対象書類名】明細書
【補正対象項目名】全文
【補正方法】変更
【補正の内容】
【発明の詳細な説明】
【技術分野】
【０００１】  本発明は、壁面に直接乃至間接的に取り付けて使用する棚受装置に関するものである。
【背景技術】
【０００２】  従来から壁面に直接或いは壁面に敷設されたレールに取り付けて棚板の一端を支持するようにした棚受装置は公知であるが、これらの棚受装置にあっては、棚板の一端だけを挟着するだけのものであったため、棚板上の物品を降ろすときに物品をそのまま横に引っ張って棚板が抜けて脱落する事故が起きるという問題点があった。
【発明の開示】
【発明が解決しようとする課題】
【０００３】  従来のこの種の棚受装置にあっては、棚板の抜け止め手段として棚板を棚受金具に釘等で止めたり、棚板の側端部を棚受金具に形成された楔状の舌片に打ち込んだりしていたが、棚板の棚受装置への装着作業が面倒であるという問題点があった。【０００４】  本発明は、上記従来技術の問題点を解決するために、棚板の抜け止めのための手段を予め設けた棚受装置を提供することを目的とするものである。
【課題を解決するための手段】
【０００５】  本発明に係る棚受装置の請求項１の発明は、壁面に直接乃至間接的に取り付けるための取付部と、棚板を載置するための棚受部とから成り、取付部と棚受部を高さ調節ネジによって上下スライドできる状態で一体化する棚受装置であって、取付部の垂直片上端には棚受部の水平片と平行な縁取り片を形成して水平片と縁取り片との間で棚板の端部を挟着固定させるように構成したことを特徴とし、請求項２、３の発明は、請求項１記載の棚受装置において、棚受部の水平片の一部に凹部を長手方向全長に亘って形成したり、水平片の自由端側を上方に反らしたりしたことを特徴とし、請求項４の発明は、棚受部の水平片の一部に突条を長手方向全長に亘って形成したことを特徴とし、請求項５の発明は、請求項１記載の棚受装置において、縁取り片の下面に棚板の上面に食い込ませるための複数の突条を長手方向全長に亘って形成したことを特徴とし、請求項６の発明は、請求項５記載の棚受装置１において、縁取り片の下面に形成された突条は先端が尖っていることを特徴とし、請求項７の発明は、請求項１記載の棚受装置において、取付部の垂直片の背面に壁面又は壁ボードに食い込ませるための複数の突条を長手方向全長に亘って形成したことを特徴とし、請求項８の発明は、請求項１記載の棚受装置の棚板がガラス板等の硬質の板材の場合において、縁取り片と水平片に挟着される棚板の上、下面にクッション材を介在させたことを特徴とし、請求項９、１０の発明は、請求項１記載の棚受装置の棚板が透明又は半透明のガラス板、合成樹脂板等の透明板の場合において、取付部乃至棚受部に発光ダイオード、蛍光灯等の発光器を装着したことを特徴とし、請求項１１の発明は、請求項９、１０記載の棚板Ｔが透明板である場合の棚板Ｔの縁取り片２−２と水平片３ー１に挟着される壁面側の端部を斜めにカットしてあることを特徴とし、請求項１２の発明は、請求項１記載の棚受装置１において、棚受装置を壁面Ｗに間接的に取り付ける手段として、壁面に敷設されたレ−ルに取付部を装着することを特徴とするものである。
【発明の作用】
【０００６】  請求項１の発明では、壁面に直接乃至間接的に取り付けるための取付部と、棚板を載置するための棚受部とから成り、取付部と棚受部を高さ調節ネジによって上下スライドできる状態で一体化する棚受装置であって、取付部の垂直片上端には棚受部の水平片と平行な縁取り片を形成して水平片と縁取り片との間で棚板の端部を挟着固定させるように構成しているので、棚板が強力に圧縮保持され、棚板の抜け止めがなされる。
【０００７】  請求項２、３の発明では、請求項１記載の棚受装置において、棚受部の水平片の一部に凹部或いは突条を長手方向全長に亘って形成したり、水平片の自由端側を上方に反らしたりしてあるので、棚板が水平片と縁取り片との間で圧縮されるときに、棚板はこの凹部部分で曲げられてその一部が凹部に入り込んだり、水平片の反りによって摩擦抵抗が増大して抜け止め効果を高める。
【０００８】  請求項４の発明では、請求項１記載の棚受装置において、棚受部の水平片の一部に突条を長手方向全長に亘って形成してあるので、棚板が水平片と縁取り片との間で圧縮されるときに、棚板はこの突条に喰い込んで、摩擦抵抗が増大して抜け止め効果を高める。
【０００９】  請求項５，６の発明では、請求項１記載の棚受装置において、縁取り片の下面に棚板の上面に食い込ませるための複数の突条を長手方向全長に亘って形成しているので、棚板の端部を高さ調節ネジの操作によって棚板の端部を水平片と縁取り片との間で挟持させるときに、縁取り片の下面に形成された複数の突条が棚板の上面に食い込み、棚板の抜け止めがなされる。
【００１０】  請求項７の発明では、取付部の垂直片の背面に壁面又は壁ボードに食い込ませるための複数の突条を長手方向全長に亘って形成しているので、取付部を壁面又は壁ボードに取り付けるためのアンカーネジに集中して掛かる荷重を壁面又は壁ボードと複数の突条との噛み合い部分に分散させ、アンカーネジに掛かる荷重を軽減して棚板に大重量の物品が載せられても上下方向のズレが生じることがなく、安定した取付状態を保持する。
【００１１】  請求項８の発明では、棚板がガラス板等の硬質の板材の場合において、縁取り片と水平片に挟着される棚板の上、下面にクッション材を介在させてあるので、棚板が水平片と縁取り片との間で圧縮されるときに、クッション材が緩衝して棚板の破損を防ぎ、摩擦抵抗によって棚板の抜け止め効果を高める。
【００１２】  請求項９、１０の発明では、棚板が透明板の場合において、取付部乃至棚受部に発光ダイオード、蛍光灯等の発光器を装着してあるので、棚板が光って美麗であり、装飾性を高める。
【００１３】  請求項１１の発明では、請求項９、１０記載の棚板が透明板である場合の棚板の縁取り片と水平片に挟着される壁面側の端部を斜めにカットしてあるので、棚板が光る照度を調節できる。
【００１４】  請求項１２の発明では、棚受装置を壁面に間接的に取り付ける手段として、壁面に敷設されたレ−ルに取付部を装着する手段を採用してあるので、棚受装置の着脱が容易であり、内装工事中にはレ−ルだけを敷設しておき、工事完成後に装着すればよいので、他の作業や室内装置品の搬入の邪魔にならず、施工後不都合が生じたときには簡単に取り外せて修正することも可能である。
【発明を実施するための最良の形態】
【００１５】  本発明装置の実施の形態を実施例について具体的に説明する。
【実施例１】
【００１６】  図１は、棚板が木製等の軟質性部材の場合であって、壁面へ直接取り付けるタイプの本発明装置の斜視図、図２は、同装置の取付部の側面図、図３は、同装置の棚受部の側面図、図４は、壁面に取り付けた状態で、棚板を装着した状態の一部縦断側面図である。【００１７】  図において、１は、壁面Ｗに取り付けるための取付部２と、棚板Ｔを載置するための棚受部３とから成り、取付部２と棚受部３を高さ調節ネジａによって上下スライドできる状態で一体化するようにしてある本発明に係る棚受装置であって、取付部２の壁面Ｗに面接する垂直片２−１には棚受部３の水平片３−１と平行な縁取り片２−２を形成して水平片３−１と縁取り片２−２との間で棚板Ｔの端部を挟着固定するように構成されている。【００１８】  取付部２の縁取り片２−２の下面には棚板Ｔの上面に食い込ませるための複数の突条２−２ａが長手方向全長に亘って形成されており、更に、棚受部３の水平片３−１の一部には水平片３−１と縁取り片縁取り片２−２との間で棚板Ｔの端部を挟着固定する際に棚板Ｔの一部が曲げられてその一部が入り込む凹部３−１ａが長手方向全長に亘って形成されている。【００１９】  取付部２と棚受部３を高さ調節ネジａによって上下スライドできる状態で一体化するための構成として、取付部２の垂直片２−１の下端に水平の折曲片２−３を形成してこの折曲片２−３の少なくとも左右両端及び中央の三箇所に高さ調節ネジａが螺合する螺子孔２−３ａを形成し、棚受部３の覆片３−２の水平部３−３の前記折曲片２−３の螺子孔２−３ａに対応する箇所に高さ調節ネジａが挿通される丸孔３−３ａが形成されている。【００２０】  また、取付部２の垂直片２−１の裏面つまり壁面Ｗに面接する部分には、壁面Ｗに食い込ませるための複数の突条２−１ａが長手方向全長に亘って形成されている。【００２１】  次に、本発明装置の具体的用法を説明する。【００２２】  先ず、取付部２と棚受部３を高さ調節ネジａによって上下スライドできる状態で一体化した棚受装置１を壁面Ｗの所定箇所にアンカーネジｂで取り付けるのであるが、請求項３のように取付部２の垂直片２−１の背面に壁面Ｗに食い込ませるための複数の突条２−１ａを長手方向全長に亘って形成しておけば、取付部２をアンカーネジｂで壁面Ｗに取り付けたときに、アンカーネジｂに集中して掛かる荷重は壁面Ｗと複数の突条２−１ａとの噛み合い部分に分散され、アンカーネジｂに掛かる荷重が軽減され、棚板に大重量の物品が載せられても上下方向のズレが生じることがなく、安定した取付状態が保持されるものである。【００２３】  棚受装置１の壁面Ｗへの取り付けの終了後、棚受部３の水平片３−１と取付部２の縁取り片２−２との間に棚板Ｔを水平方向から差し入れ、丸孔３−３ａに挿通させた高さ調節ネジａを折曲片２−３の螺子孔２−３ａに螺合させてドライバ−で螺回することによって棚受部３を押し上げてやれば、棚板Ｔは縁取り片２−２と水平片３−１との間で挟着されることになり、更に、棚受部３を強力に押し上げてやれば、棚板Ｔは縁取り片２−２と水平片３−１との間で棚板Ｔが強力に圧縮保持され、抜け止めがなされるのであるが、請求項２、３のように、棚板Ｔの曲がりによって棚��の一部が入り込む凹部３−１ａを長手方向全長に亘って形成したり、棚受部３の水平片３−１の自由端側をｄの間隔だけ上方に反らしておけば、係止効果が高まり、抜け止め効果が向上する。【００２４】  また、図示はしないが、前記凹部３−１ａに該当する部分に凹部とは逆に棚板の一部に食い込む突条を長手方向全長に亘って形成しておけば、係止効果が高まり、抜け止め効果が向上する。【００２５】  更に、請求項５のように、縁取り片２−２の下面に棚板Ｔの上面に食い込ませるための複数の突条２−２ａを長手方向全長に亘って形成しておけば、突条２−２ａが棚板Ｔの上面に喰い込んで強力に係止するため、抜け止め効果は更に高まるものである。【００２６】  この棚板Ｔを縁取り片２−２と水平片３−１との間に挟着させるときに、請求項６のように突条２−２ａの先端を尖らせておけば、棚板Ｔに食い込みやすくなり、係止効果が高くなるものである。
【実施例２】
【００２７】  図５（ａ）は、棚板が透明又は半透明のガラス板、合成樹脂板等の透明板の場合の本発明装置の斜視図、図５（ｂ）は、棚板を装着した状態の縦断側面図であって、縁取り片２−２と水平片３ー１に挟着される棚板Ｔの上、下面にクッション材４、４を介在させ、取付部２の棚板Ｔが縁取り片２−２と水平片３ー１に挟着される部分或いは棚受部３の覆い片３−２に発光ダイオード５−１、蛍光灯５−２等の発光器５を装着したものである。【００２８】  縁取り片２−２と水平片３ー１に挟着される棚板Ｔの上、下面にクッション材４、４を介在させてあるので、棚板が水平片と縁取り片との間で圧縮されるときに、クッション材４、４が緩衝して棚板の破損を防ぎ、摩擦抵抗によって棚板の抜け止めの作用がなされるものである。【００２９】  取付部２の棚板Ｔが縁取り片２−２と水平片３ー１に挟着される狭い空間に装着する発光器５としては、小型の発光ダイオード５−１が最適であり、棚板Ｔの端部が照射されることにより、ガラス製の棚板Ｔ全体が淡く光り、美麗であって、発光ダイオード５−１の発光色を変えることによって装飾性を高めることもできるものである。【００３０】  また、棚受部３の覆片３−２に発光器５を装着する場合は、広い空間を利用できる蛍光灯５−２が最適であり、棚受部３の水平片３−１に形成された透孔３−１ｂを通して棚板Ｔの底面が照射されることにより、透明板製の棚板Ｔ全体が明るく光ることになり、色付きの棚板Ｔ或いは前記発光ダイオード５−１等の色彩のある発光器５との組み合わせによって雰囲気に応じた光による演出が可能となるものである。
【実施例３】
【００３１】  図６（ａ）、（ｂ）は、図５（ａ）、（ｂ）の変形例を表わす本発明装置に棚板を装着した状態の縦断側面図であって、図６（ａ）は、発光器５たる発光ダイオード５−１を水平片３−１の壁面側に装着した状態を表わし、図６（ｂ）は、発光器５たる蛍光灯５−２を覆片３−２に装着し、蛍光灯５−２の光を通過させる透孔３−１ｂを水平片３−１の壁面側に形成したものであり、棚板Ｔの壁面側の端部を傾斜角度αだけ斜めにカットしたものである。【００３２】  この場合、棚板Ｔの壁面側の端部を斜めにカットしてあるので、発光ダイオード５−１や蛍光灯５−２から照射された光はそのカットされた傾斜面に当たり、カットした傾斜角度が大きい程壁面方向つまり取付部２の垂直片２−１方向への反射率が高くなって棚板Ｔを通る光量が減少し、棚板Ｔの照度が減衰するもので、カットする傾斜角度を変えることによって傾斜面での光の反射率を変えることができ、棚板Ｔの照度を自在に変えることができるものであり、発光ダイオード５−１や蛍光灯５−２への通電電圧を変えることによる発光照度の変化を加えれば、棚板Ｔを所望の明るさで光らせることができるものである。【００３３】  尚、実施例２、３において、棚板Ｔを構成する透明板を蛍光塗料を混入した透明板としておき、発光器５を紫外線量の多いブラックライトとすれば棚板Ｔ全体が蛍光発色して美麗であり、また、ガラス表面の模様付けとしてガラス工芸において慣用されるサンドブラスト法によって棚板Ｔの表面に模様を形成しておけばその部分が乱反射によってぼやけて浮かび上がって美麗である等商品価値を高めることもできるものである。【００３４】  更に、上記以外の棚板Ｔを光らせる手段として、通電により発光する発光板を棚板として採用することも可能である。
【実施例４】
【００３５】  図７は、壁面に間接的に取り付けるタイプの本発明装置の棚板を装着した状態の一部縦断側面図であって、請求項１記載の棚受装置１において、棚受装置１を壁面Ｗに間接的に取り付ける手段として、壁面Ｗに敷設されたレ−ルＲに取付部２を装着する手段を採用した請求項１２に対応するものである。【００３６】  この棚受装置１においては、壁面Ｗに直接取り付けるのではなく、ボ−ドＢを張って壁面を隠しながら棚受装置１を取り付けるためのレ−ルＲを壁面に敷設し、このレ−ルＲに棚受装置１の取付部２の一部を嵌着して取り付けるものであって実施例２の棚受装置１の取付部２の垂直片２−１の上端に嵌合片２−３を形成しこの嵌合片２−４をレ−ルＲの前方に開く溝に回転させながら差し入れることによって取り付けるものである。【００３７】  この取付手段によれば、棚受装置１を壁面Ｗにネジ等で直接取り付けるのではないため、棚受装置の着脱が容易であり、内装工事中にはレ−ルＲだけを敷設しておき、工事完成後に装着すればよいので、他の作業や室内装置品の搬入の邪魔にならず、施工後不都合が生じたときには簡単に取り外せて修正することも可能である。
【発明の効果】
【００３８】  以上述べた如く、本発明の請求項１に係る棚受装置によれば、取付部の垂直片上端には棚受部の水平片と平行な縁取り片を形成して水平片と縁取り片との間で棚板の端部を挟着固定させるように構成してあるので、棚板が強力に圧縮保持されることになり、棚板の抜け止めがなされ、物品を降ろすときに棚板が外れて脱落するようなことがなく、安全で且つ体裁の良い棚受装置を提供することができるものである。
【００４０】  また、請求項２、３の発明では、棚受部の水平片の一部に凹部を長手方向全長に亘って形成したり、水平片の自由端側を上方に反らしてあるので、棚板が水平片と縁取り片との間で圧縮されるときに、棚板の一部が曲げられて凹部に入り込んだり、反りによって摩擦抵抗が増大して、棚板の抜け止め効果を高め、請求項４の発明では、請求項１記載の棚受装置において、棚受部の水平片の一部に突条を長手方向全長に亘って形成してあるので、棚板が水平片と縁取り片との間で圧縮されるときに、棚板はこの突条に喰い込んで、摩擦抵抗が増大して抜け止め効果を高める。
【００４１】  請求項５，６の発明では、縁取り片の下面に棚板の上面に食い込ませるための複数の突条を長手方向全長に亘って形成しているので、棚板の端部を高さ調節ネジの操作によって棚板の端部を水平片と縁取り片との間で挟持させるときに、縁取り片の下面に形成された複数の突条が棚板の上面に食い込み、棚板の抜け止めがなされ、より一層の棚板の抜け止め効果を期待できるものである。
【００４２】  請求項７の発明では、取付部の垂直片の背面に壁面又は壁ボードに食い込ませるための複数の突条を長手方向全長に亘って形成しているので、取付部を壁面又は壁ボードに取り付けるためのアンカーネジに集中して掛かる荷重を壁面又は壁ボードと複数の突条との噛み合い部分に分散させ、アンカーネジに掛かる荷重を軽減して棚板に大重量の物品が載せられても上下方向のズレが生じることがなく、安定した取付状態が保持される効果があるものである。
【００４３】  請求項８の発明では、棚板がガラス板等の硬質の板材の場合において、縁取り片と水平片に挟着される棚板の上、下面にクッション材を介在させてあるので、棚板が水平片と縁取り片との間で圧縮されるときに、クッション材が緩衝して棚板の破損を防ぎ、摩擦抵抗によって棚板の抜け止め効果を高めるもので、棚板が木製等の軟質性部材でない硬質性部材に適用できるものである。
【００４４】  請求項９、１０の発明では、棚板が透明板製の場合において、取付部乃至棚受部に発光ダイオード、蛍光灯等の発光器を装着してあるので、棚板が光って美麗であり、装飾性を高める効果があるもので、家庭だけでなく、商店における商品陳列棚に使用することによって商品の高級感を高めて購買意欲をそそり、接客業等のサービス業においても小物棚等に使用することによって高級な雰囲気を醸し出すことができる等棚受装置本来の機能以外に雰囲気に応じた光による演出が可能となるものである。
【００４５】  請求項１１の発明では、請求項９、１０記載の棚板が透明板である場合の棚板の縁取り片と水平片に挟着される壁面側の端部を斜めにカットしてあるので、棚板が光る照度を調節できる効果がある。
【００４６】  請求項１２の発明では、棚受装置を壁面に間接的に取り付ける手段として、壁面に敷設されたレ−ルに取付部を装着する手段を採用してあるので、棚受装置の着脱が容易であり、内装工事中にはレ−ルだけを敷設しておき、工事完成後に装着すればよいので、他の作業や室内装置品の搬入の邪魔にならず、施工後不都合が生じたときには簡単に取り外せて修正することも可能であるという効果があり、棚板がガラス製の場合も適用できることは勿論である。
【００４７】  更に、本発明に係る棚受装置によれば、全ての請求項に共通する取付部の垂直片上端には棚受部の水平片と平行な縁取り片を形成して水平片と縁取り片との間で棚板の端部を挟着固定させる構成によって、どのような厚さの棚板であっても適用することが可能であり、また、反りのない板材の場合、一枚の板材だけではなく、複数の板材を積層して厚みのある棚板として使用することも可能であり、特に、棚板が透明板製の場合には、積層される透明板の間に着色したシート材や液晶表示板を挟み込んだりしたバリエーションに富んだ棚板を構成することができるという利点を有するものである。
【図面の簡単な説明】
【００４８】
【図１】  棚板が木製等の軟質性部材の場合であって、壁面へ直接取り付けるタイプの本発明装置の斜視図である。
【図２】  同装置の取付部の側面図である。
【図３】  同装置の棚受部の側面図である。
【図４】  壁面に取り付けた状態で、棚板を装着した状態の一部縦断側面図である。
【図５】  （ａ）は、棚板が透明又は半透明のガラス、合成樹脂板等の透明板の場合の本発明装置の斜視図、（ｂ）は、棚板を装着した状態の縦断側面図である。
【図６】  図５（ａ）、（ｂ）の変形例を表わす本発明装置に棚板を装着した状態の縦断側面図である。
【図７】  壁面に間接的に取り付けるタイプの本発明装置の棚板を装着した状態の一部縦断側面図
【符号の説明】
【００４９】      １          棚受装置
２          取付部
３          棚受部
４          パッキング
５          発光器
【手続補正書】
【提出日】平成16年7月13日(2004.7.13)
【手続補正１】
【補正対象書類名】特許請求の範囲
【補正対象項目名】全文
【補正方法】変更
【補正の内容】
【特許請求の範囲】
【請求項１】
壁面Ｗに直接乃至間接的に取り付けるための取付部２と、棚板Ｔを載置するための棚受部３とから成り、取付部２と棚受部３を高さ調節ネジａによって上下スライドできる状態で一体化する棚受装置１であって、取付部２の垂直片２ー１上端には棚受部３の水平片３ー１と平行な縁取り片２−２を形成して水平片３−１と縁取り片２−２との間で棚板Ｔの端部を挟着固定させるように構成したことを特徴とする棚受装置。
【請求項２】
請求項１記載の棚受装置１において、棚受部３の水平片３ー１の一部に凹部３−１ａを長手方向全長に亘って形成したことを特徴とする請求項１記載の棚受装置。
【請求項３】
請求項１記載の棚受装置１において、棚受部３の水平片３ー１の一部に凹部３−１ａを長手方向全長に亘って形成し、水平片３ー１の自由端側を上方にｄの間隔だけ反らしてあることを特徴とする請求項１記載の棚受装置。
【請求項４】
請求項１記載の棚受装置１において、棚受部３の水平片３ー１の一部に突条を長手方向全長に亘って形成したことを特徴とする請求項１記載の棚受装置。
【請求項５】
請求項１記載の棚受装置１において、縁取り片２−２の下面に棚板Ｔの上面に食い込ませるための複数の突条２−２ａを長手方向全長に亘って形成したことを特徴とする請求項１記載の棚受装置。
【請求項６】
請求項４記載の棚受装置１において、縁取り片２−２の下面に形成された突条２−２ａは先端が尖っていることを特徴とする請求項１記載の棚受装置。
【請求項７】
請求項１記載の棚受装置１において、取付部２の垂直片２ー１の背面に壁面Ｗ又は壁ボードに食い込ませるための複数の突条２−１ａを長手方向全長に亘って形成したことを特徴とする請求項１記載の棚受装置。
【請求項８】
請求項１記載の棚受装置１の棚板Ｔがガラス等の硬質の板材の場合において、縁取り片２−２と水平片３ー１に挟着される棚板Ｔの上、下面にクッション材４、４を介在させたことを特徴とする請求項１記載の棚受装置。
【請求項９】
請求項１記載の棚板Ｔが透明又は半透明のガラス板、合成樹脂板等の透明板の場合において、取付部２乃至棚受部３に発光ダイオード５−１、蛍光灯５−２等の発光器５を装着したことを特徴とする請求項１記載の棚受装置。
【請求項１０】
請求項８記載の発光器５が蛍光灯５−２の場合、蛍光灯の光が通過するための透孔３−１ｂを水平片３−１に形成したことを特徴とする請求項１記載の棚受装置。
【請求項１１】
請求項９、１０記載の棚板Ｔが透明板である場合の棚板Ｔの縁取り片２−２と水平片３ー１に挟着される壁面側の端部を斜めにカットしてあることを特徴とする請求項１記載の棚受装置。
【請求項１２】
請求項１記載の棚受装置１において、棚受装置１を壁面Ｗに間接的に取り付ける手段として、壁面Ｗに敷設されたレールＲに取付部２を装着することを特徴とする請求項１記載の棚受装置。
【請求項１３】
請求項１記載の棚受装置１において、取付部２と棚受部３を高さ調節ネジａによって上下スライドできる状態で一体化するための構成として、取付部２の垂直片２−１の下端に水平の折曲片２−３を形成してこの折曲片２−３の少なくとも左右両端及び中央の三箇所に高さ調節ネジａが螺合する螺子孔２−３ａを形成し、棚受部３の覆片３−２の水平部３−３の前記折曲片２−３の螺子孔２−３ａに対応する箇所に高さ調節ネジａが挿通される丸孔３−３ａが形成されていることを特徴とする請求項１記載の棚受装置。
【請求項１４】
請求項１記載の棚板Ｔが透明又は半透明のガラス板、合成樹脂板等の透明板の場合において、取付部２と棚受部３を高さ調節ネジａによって上下スライドできる状態で一体化するための構成として、取付部２の垂直片２−１の下端に水平の折曲片２−３を形成してこの折曲片２−３の少なくとも左右両端及び中央の三箇所に高さ調節ネジａが螺合する螺子孔２−３ａを形成し、棚受部３の覆片３−２の水平部３−３の前記折曲片２−３の螺子孔２−３ａに対応する箇所に高さ調節ネジａが挿通される丸孔３−３ａが形成されており、且つ、取付部２乃至棚受部３に発光ダイオード５−１、蛍光灯５−２等の発光器５を装着したことを特徴とする請求項１記載の棚受装置。